(57)【要約】【課題】簡単な構成で、シートが手差し給送部に一枚ずつ容易にセットされる画像形成装置を提供すること。【解決手段】シートＰを画像形成部に給送する手差し給送部4は、第一と第二の位置の間を移動可能な手差しトレイ14と、シートＰの給送方向に対して直交する方向の位置を規制する第一及び第二の規制部13ａ、13ｂが設けられ、手差しトレイ14が、第一の位置の時は、第一の規制部13ａでシートＰの位置を規制し、第二の位置の時は、第二の規制部13ｂでシートＰの位置を規制する。【選択図】図２
2009292634.tif 000002
【特許請求の範囲】
【請求項１】
シートに画像を形成する画像形成部を有する装置本体に、シートを前記画像形成部に給送する手差し給送部が設けられ、前記手差し給送部は、第一と第二の位置の間を移動可能な手差しトレイと、シートの給送方向に対して直交する方向の位置を規制するシート規制部材とを有する画像形成装置において、
前記シート規制部材に第一及び第二の規制部が設けられ、前記手差しトレイが、前記第一の位置にある時は、前記第一の規制部でシートの位置を規制し、前記第二の位置にある時は、前記第二の規制部でシートの位置を規制することを特徴とする画像形成装置。
【請求項２】
前記第一と第二の規制部は、シートの給送方向に対して直交する方向において同一の位置に設けられたことを特徴とする請求項１に記載の画像形成装置。
【請求項３】
前記手差しトレイが、前記第一の位置にある時は、前記装置本体から突き出し、前記第二の位置にある時は、前記装置本体に収まることを特徴とする請求項１または２に記載の画像形成装置。
【請求項４】
前記手差しトレイは、前記装置本体に対して回動可能に取り付けられ、前記第一の位置と前記第二の位置との間を回動することを特徴とする請求項１〜３のいずれか１項に記載の画像形成装置。
【請求項５】
前記手差しトレイは、前記装置本体に対してスライド可能に取り付けられ、前記第一の位置と前記第二の位置との間をスライドすることを特徴とする請求項１〜３のいずれか１項に記載の画像形成装置。
【請求項６】
前記シート規制部材は、前記手差しトレイの上にシートの給送方向に対して直交する方向に移動可能に取り付けられたことを特徴とする請求項１〜５のいずれか１項に記載の画像形成装置。
【発明の詳細な説明】
【技術分野】
【０００１】
本発明は、シートを給送するシート給送装置を備えた複写機やプリンタ等の画像形成装置に関する。
【背景技術】
【０００２】
従来、画像形成装置では、手差しトレイに載置したシートを一枚ずつ取り出して装置内部に給送する手差し給送部を備えているものがある。この手差し給送部では、ユーザが所望のサイズや種類のシートを手差しトレイに載置して使用される。
【０００３】
また、図８に示すように、装置本体100には、手差し給紙部の手差し給送口101から画像形成部102の直上流のレジストローラ対106まで到達する搬送路115が設けられ、シートを一枚ずつセットして画像形成部102に給送する。
【０００４】
手差し給送口101にはシート規制部材(以下、ペーパーガイドという)113が設けられている。このペーパーガイド113の規制面はシートの幅方向端面に当接されるように移動可能に設けられ、シートはペーパーガイド113の規制面により規制され、手差し給送口101の所定位置にセットされるようになっている（特許文献１参照）。
【０００５】
【特許文献１】特開平７-81807号公報
【発明の開示】
【発明が解決しようとする課題】
【０００６】
しかしながら、従来の画像形成装置では、ペーパーガイド113が装置本体100の内部に設けられており、さらに、手差し給送口101の開口部が小さいため、シートが手差し給送口101より一枚ずつセットし難いという問題がある。
【０００７】
本発明は、上記課題に鑑みてなされたものであり、その目的は、簡単な構成で、シートが手差し給送部に一枚ずつ容易にセットされる画像形成装置を提供することにある。
【課題を解決するための手段】
【０００８】
前記目的を達成するため、本発明に係る代表的な構成は、シートに画像を形成する画像形成部を有する装置本体に、シートを前記画像形成部に給送する手差し給送部が設けられ、前記手差し給送部は、第一と第二の位置の間を移動可能な手差しトレイと、シートの給送方向に対して直交する方向の位置を規制するシート規制部材とを有する画像形成装置において、前記シート規制部材に第一及び第二の規制部が設けられ、前記手差しトレイが、前記第一の位置にある時は、前記第一の規制部でシートの位置を規制し、前記第二の位置にある時は、前記第二の規制部でシートの位置を規制することを特徴とする。
【発明の効果】
【０００９】
本発明によれば、小型化を確保しつつ、ペーパーガイドの操作性を簡単な構成で向上させることができる。
【発明を実施するための最良の形態】
【００１０】
［実施形態１］
以下、本発明の実施の形態を図面に基づいて詳細に説明する。図１は、本発明の一実施の形態である画像形成装置の概略縦断面図、図２、４は、シート給送装置の要部斜視図、図３、５は、シート給送装置の要部断面図である。
【００１１】
図１において、１はレーザービームプリンタ等の画像形成装置である。画像形成装置１にはシート給送装置２が設けられている。シート給送装置２は給送カセット３及び手差し給送部４を有し、手差し給送部４は、画像形成装置１の正面側（図中右側でユーザが操作する側）に配置されている。
【００１２】
画像形成装置１において、カセット給送時は、給送カセット３から送り出された記録材であるシートＰが搬送ローラ対５によりレジストローラ対６に搬送される。そして、手差し給送時は、シートＰが手差し給送部４からレジストローラ対６に搬送される。
【００１３】
レジストローラ対６により搬送されたシートＰには、現像部としてのプロセスカートリッジ７の感光ドラム８上に形成されたトナー像が転写ローラ９により転写される。また、画像形成装置１は、トナー像が転写されたシートＰを加熱及び加圧してシートＰに定着させる定着器10を備え、定着後のシートＰを積載する排出トレイ11に排出するための排出ローラ対12を有する。
【００１４】
また、手差し給送部４は、図２〜５に示すように、手差しトレイ14と、手差しされたシートＰの側端を規制するペーパーガイドとしての第一の規制部13ａ及び第二の規制部13ｂを有する。さらに、手差し給送部４を介して手差しされたシートＰをレジストローラ対６まで案内する手差し給送路15とを有する。
【００１５】
レジストローラ対６の上流側には、手差しされたシートを検知するためのシート有無センサ(不図示)が配置されており、シート有無センサは、シートによって押されて回動するセンサフラグ（不図示）と、センサフラグの位置に応じてシートＰの有無を検知するフォトインタラプタ(光透過型検知手段) から構成される。そして、センサの検知に基づいてレジストローラ対６が回転してシートの先端をニップして停止する。その後、レジストローラ対６は画像形成タイミングに合わせて回転してシートＰを供給する。
【００１６】
手差しトレイ14は、図２に示すように、上面板16と下面板17とからなる。上面板16には、ペーパーガイド（第一及び第二の規制部13ａ、13ｂ）をシートの幅方向（シート搬送方向と直交する方向）に案内する一対の長孔18が形成されるとともに、一対のスライダー19及びギア20が設けられている。なお、ペーパーガイドを構成する第一の規制部13ａと第二の規制部13ｂとは、反対方向にそれぞれ突設している。
【００１７】
一対のスライダー19は長孔18を挾んでペーパーガイドと一体となってシート幅方向に摺動し、一対のスライダー19の対向面にはラックギア部19ａが形成されている。ギア20はスライダー19のラックギア部19ａ間に噛合し、一対のスライダー19は互いに相反する方向に移動するようになっている。
【００１８】
下面板17には、細長の開口部17ａが形成され、開口部17ａの長手方向の両端部には回動支点17ｂ、17ｃが設けられ、手差しトレイ14は回動支点17ｂ、17ｃを中心に開閉可能になっている。また、ペーパーガイドの第二の規制部13ｂは、開口部17ａ内をシート幅方向に移動可能になっている。
【００１９】
手差し給送を行う場合には、まず、手差しトレイ14を開く（第一の位置）。その後、第一及び第二の規制部13ａ、13ｂをシートＰの幅方向を規制する位置に移動する。そして、シートＰは第一の規制部13ａによりその幅方向が規制され、手差し給送路15に向けて差し込まれる（図４、５参照）。
【００２０】
これにより、シートＰの先端によりシート有無センサのセンサフラグが倒され、センサフラグがシート有無センサを遮光することで、シートＰが差し込まれたことを検知してレジストローラ対６を回転させ、シートＰをレジストローラ対６でニップする。
【００２１】
その後、シートＰはトナー像がシートＰ上の所定の位置に転写されるように所定のタイミングで給送される。シートＰを給送した後は、手差しトレイ14を閉じておく（第二の位置）。
【００２２】
そして、前回使用したシートＰと同じサイズのシートをセットする場合には、既にペーパーガイドの位置が調整されていることから、手差しトレイ14を閉じたままで、シートＰを第二の規制部13ｂにより案内する（図２、３参照）。
【００２３】
このように、本実施の形態では、開閉可能（回動可能）に設けた手差しトレイ14にシートＰの給送方向に対して直交する方向の位置を規制する第一及び第二の規制部13ａ、13ｂからなるペーパーガイドを有する。
【００２４】
従って、手差し給送部4にシートＰをセットする際は、手差しトレイ14を開き、その上にシートＰを載せることで、第一の規制部13ａの位置調整が簡単な構成で容易に行われる。
【００２５】
シートＰを給送した後は手差しトレイ14を閉じておき、前回使用したシートＰと同じサイズをセットする場合には、手差し給送部4を閉じた状態で、既に位置調整された第二の規制部13ｂにより規制することができる。つまり、手差しトレイ14を閉じることで、装置を小型化することができる。
【００２６】
以上、本発明の実施の形態について詳述したが、本発明は、前記実施の形態記載に限定されるものではなく、本発明の特許請求の範囲に記載されている発明の精神を逸脱しない範囲で、種々の変更ができるものである。
【００２７】
［実施形態２］
【００２８】
例えば、シート給送装置の第２の実施形態を図６、７により説明する。
【００２９】
即ち、図６、７は、シート給送装置の構成を示す断面図である。なお、同図において、実施形態１と同一構成部分には、同一符号を付している。
【００３０】
図６、７において、シート給送装置は、手差しトレイ14、開口部27ａ及びレール部27ｂ、27ｃを有する。手差しトレイ14は開口部27ａにスライド可能に設けられ、当該開口部27ａからレール部27ｂ、27ｃによりスライドし、引き出されるようになっている。
【００３１】
手差し給送を行う場合には、手差しトレイ14を引き出し、シートＰをペーパーガイドの第一の規制部13ａでシートの幅方向の位置を規制し、シートＰをセットする。そして、シートＰを給送した後は、手差しトレイ14を閉じておき、前回使用したシートＰと同じサイズをセットする。この場合、既に第二の規制部13ｂの位置が調整されているので、閉じた状態で第二の規制部13ｂに案内させ給送する。
【００３２】
また、本実施形態において、第一及び第二の規制部13ａ、13ｂは、一対で動作する構成としたが、手差しトレイ14に穴を形成し、この穴に差し込む構成や片側基準で第一及び第二の規制部13ａ、13ｂの片方のみを動作する構成であってもよい。
【図面の簡単な説明】
【００３３】
【図１】本発明の一実施の形態に係る画像形成装置の概略縦断面図である。
【図２】図１に示すシート給送装置を説明する要部斜視図である。
【図３】図２の断面図である。
【図４】図１のシート給送装置を説明する要部斜視図である。
【図５】図４の断面図である。
【図６】本発明の他の実施の形態に係るシート給送装置を説明する要部断面図である。
【図７】本発明の他の実施の形態に係るシート給送装置を説明する要部断面図である。
【図８】従来の画像形成装置を説明する概略縦断面図である。
【符号の説明】
【００３４】
１  画像形成装置
２  シート給送装置
３  給送カセット
４  手差し給送部
５  搬送ローラ対
６  レジストローラ対
７  プロセスカートリッジ
８  感光ドラム
９  転写ローラ
10  定着器
11  排出トレイ
12  排出ローラ対
13ａ  第一の規制部
13ｂ  第二の規制部
14  手差しトレイ
15  手差し給送路
16  上面板
17  下面板
17ａ、27ａ  開口部
17ｂ、17ｃ  回動支点
18  長孔
19  スライダー
19ａ  ラックギア部
20  ギア
27ｂ、27ｃ  レール部
Ｐ  シート
【図１】
2009292634.tif 000003
【図２】
2009292634.tif 000004
【図３】
2009292634.tif 000005
【図４】
2009292634.tif 000006
【図５】
2009292634.tif 000007
【図６】
2009292634.tif 000008
【図７】
2009292634.tif 000009
【図８】
2009292634.tif 000010